(57)【要約】【課題】１台以上の出力装置と接続された表示装置において、ＨＤＭＩ規格に基づくＣＥＣコマンド等を用いて、各出力装置から録画番組リスト情報を取得し、取得した各出力装置の録画番組リスト情報を一括してリスト表示する。【解決手段】ＴＶ３０は、ＨＤＭＩ接続制御部３０ｂ、全録画リスト格納部３０ｃ、表示部３０ｄを備え、番組録画可能なレコーダ１〜３とＨＤＭＩケーブル内のＣＥＣライン４２を介して接続される。ＨＤＭＩ接続制御部３０ｂは、ＨＤＭＩ規格に基づいたＣＥＣコマンドを使用して、レコーダ１〜３に順番に接続し、レコーダ１〜３から録画番組リスト情報を取得して全録画リスト格納部３０ｃに格納する。そして、ＨＤＭＩ接続制御部３０ｂは、全録画リスト格納部３０ｃに格納されたレコーダ１〜３の録画番組リスト情報を一括して表示部３０ｄにリスト表示する。【選択図】図２
2008028947.tif 000002
【特許請求の範囲】
【請求項１】
録画番組を再生出力可能な１以上の出力装置と接続する接続手段を備えた表示装置であって、
所定のコマンドを使用して、前記接続手段を介して各前記出力装置から録画番組リスト情報を取得し、該取得した各前記出力装置の録画番組リスト情報を一括してリスト表示することを特徴とする表示装置。
【請求項２】
請求項１に記載の表示装置において、前記一括リスト表示される各録画番組は、取得元の出力装置と対応付けされており、前記表示装置は、ユーザ操作に従って、前記各録画番組を出力装置毎に分類してリスト表示することを特徴とする表示装置。
【請求項３】
請求項１に記載の表示装置において、前記一括リスト表示される各録画番組は、ジャンル情報を含み、前記表示装置は、ユーザ操作に従って、前記各録画番組をジャンル毎に分類してリスト表示することを特徴とする表示装置。
【請求項４】
請求項１に記載の表示装置において、前記一括リスト表示される各録画番組は、ユーザのお気に入りであることを示す情報を設定可能とし、前記表示装置は、ユーザ操作に従って、ユーザのお気に入りであることを示す情報が設定された録画番組のみを抽出してリスト表示することを特徴とする表示装置。
【請求項５】
請求項１乃至４のいずれか１項に記載の表示装置において、前記一括表示される録画番組リストからユーザ所望の録画番組が選択されると、該選択された録画番組が対応する出力装置で再生出力されることを特徴とする表示装置。
【請求項６】
請求項１乃至５のいずれか１項に記載の表示装置において、前記出力装置は、番組録画可能な録画装置であり、前記表示装置は、所定のコマンドを使用して、前記接続手段を介して各前記録画装置から録画番組リスト情報を取得し、該取得した各前記録画装置の録画番組リスト情報を一括してリスト表示することを特徴とする表示装置。
【請求項７】
請求項１乃至６のいずれか１項に記載の表示装置において、前記接続手段は、ＨＤＭＩ規格に準じた接続を行う手段であり、前記所定のコマンドは、ＨＤＭＩ規格に基づくＣＥＣコマンドであることを特徴とする表示装置。
【請求項８】
請求項１乃至７のいずれか１項に記載の表示装置と、録画番組を再生出力可能な１以上の出力装置とを備え、前記表示装置と前記出力装置とが接続手段を介して接続された表示システムであって、
前記表示装置は、所定のコマンドを使用して、前記接続手段を介して各前記出力装置から録画番組リスト情報を取得し、該取得した各前記出力装置の録画番組リスト情報を一括してリスト表示することを特徴とする表示システム。
【請求項９】
請求項８に記載の表示システムにおいて、前記出力装置は、番組録画可能な録画装置であり、前記表示装置は、前記所定のコマンドを使用して、前記接続手段を介して各前記録画装置から録画番組リスト情報を取得し、該取得した各前記録画装置の録画番組リスト情報を一括してリスト表示することを特徴とする表示システム。
【請求項１０】
請求項８又は９に記載の表示システムにおいて、前記接続手段は、ＨＤＭＩ規格に準じた接続を行う手段であり、前記所定のコマンドは、ＨＤＭＩ規格に基づくＣＥＣコマンドであることを特徴とする表示システム。
【発明の詳細な説明】
【技術分野】
【０００１】
本発明は、表示装置及び表示システム、より詳細には、ＨＤＭＩ（High Definition Multimedia Interface）等によるデジタルインタフェースによりＤＶＤ録画装置などの出力装置と接続可能な表示装置、及び該装置を備えた表示システムに関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００３】
上記ＨＤＭＩにより、テレビジョン放送受像機（以下、ＴＶ）などの表示装置と複数台のレコーダなどの出力装置が接続されている場合、それらのレコーダからいずれか一台を選択し、そのレコーダにネットワークをつないでからその後の操作（例えば、録画リスト表示や再生・停止など）を行っていた。
【０００４】
図６〜図８は、ＨＤＭＩ接続による従来の録画リスト表示方法を説明するための画面例を示す図である。ここではＴＶと３台のレコーダがＡＶアンプなどのリピータ機器を介してＨＤＭＩ接続された例について説明する。まず、図６に示すように、ユーザは、ＴＶのメニューからレコーダ操作を選択し、レコーダの選択画面を表示させ、所望のレコーダ（ここではレコーダ１）を選択する。ＴＶは、選択されたレコーダ１とのネットワークが確立されると、図７に示すように、レコーダ１に対する操作内容（例えば、再生，停止，録画リスト等）を選択するための操作内容選択画面を表示する。
【０００５】
そして、この操作内容選択画面から録画リストが選択されると、図８に示すようにレコーダ１の録画リストをみることができる。しかしながら、探していた録画番組がこのレコーダ１内になかった場合、前述の図６に示した画面に戻って他のレコーダを選択し直し、同じような操作をしなければならない。
【０００６】
ＨＤＭＩ規格に基づいたＣＥＣ（Consumer Electronics Control)を使用することにより、１つ以上のレコーダをＴＶに接続し、多くの番組を録画・蓄積できるようになってきた。しかし、ユーザはどのレコーダに録画したか覚えておかないと、上述のように、ＴＶがレコーダ１に接続し、録画リストを表示、検索し、所望の録画番組がない場合、レコーダ２に接続を切り替え、レコーダ２に接続し、録画リストを表示、検索する、という処理を所望の録画番組が見つかるまで繰り返し行う必要があり、ユーザにとって面倒な作業を強いられていた。
【０００７】
上記に対して、複数のレコーダとＴＶとを接続したシステム構成において、記録したレコーダを問わず、最新の記録番組から遡って最大で３５個の番組を示す情報を最近録画した番組の一覧として表示するようにしたものが提案されている（例えば、特許文献１参照）。この最近録画した番組の一覧は、番組の予約記録時に、記録を行ったレコーダを特定する機器情報と、記録番組に関するイベント情報とを参照することで作成される。
【特許文献１】特開２００６−９４２１１号公報
【発明の開示】
【発明が解決しようとする課題】
【０００８】
しかしながら、上記特許文献１に記載の番組一覧は、予約記録時における番組に基づいて作成されており、例えば、一覧にある録画番組がレコーダから消去等されていても、一覧からは削除されず、そのまま表示されてしまっていた。このため、一覧にある録画番組が必ずしも再生可能な番組であるとは限らず、ユーザが録画番組を再生しようとしたときに、再生可能な番組であるかどうかをその都度判断する必要があった。
【０００９】
本発明は、上述のごとき実情に鑑みてなされたものであり、１台以上のレコーダなどの出力装置と接続された表示装置において、ＨＤＭＩ規格に基づくＣＥＣコマンド等を用いて、各出力装置から録画番組リスト情報を取得し、取得した各出力装置の録画番組リスト情報を一括してリスト表示できるようにすること、を目的とする。
【課題を解決するための手段】
【００１０】
上記課題を解決するために、本発明の第１の技術手段は、録画番組を再生出力可能な１以上の出力装置と接続する接続手段を備えた表示装置であって、所定のコマンドを使用して、前記接続手段を介して各前記出力装置から録画番組リスト情報を取得し、該取得した各前記出力装置の録画番組リスト情報を一括してリスト表示することを特徴としたものである。
【００１１】
第２の技術手段は、第１の技術手段において、前記一括リスト表示される各録画番組は、取得元の出力装置と対応付けされており、前記表示装置は、ユーザ操作に従って、前記各録画番組を出力装置毎に分類してリスト表示することを特徴としたものである。
【００１２】
第３の技術手段は、第１の技術手段において、前記一括リスト表示される各録画番組は、ジャンル情報を含み、前記表示装置は、ユーザ操作に従って、前記各録画番組をジャンル毎に分類してリスト表示することを特徴としたものである。
【００１３】
第４の技術手段は、第１の技術手段において、前記一括リスト表示される各録画番組は、ユーザのお気に入りであることを示す情報を設定可能とし、前記表示装置は、ユーザ操作に従って、ユーザのお気に入りであることを示す情報が設定された録画番組のみを抽出してリスト表示することを特徴としたものである。
【００１４】
第５の技術手段は、第１乃至第４のいずれか１の技術手段において、前記一括表示される録画番組リストからユーザ所望の録画番組が選択されると、該選択された録画番組が対応する出力装置で再生出力されることを特徴としたものである。
【００１５】
第６の技術手段は、第１乃至第５のいずれか１の技術手段において、前記出力装置は、番組録画可能な録画装置であり、前記表示装置は、所定のコマンドを使用して、前記接続手段を介して各前記録画装置から録画番組リスト情報を取得し、該取得した各前記録画装置の録画番組リスト情報を一括してリスト表示することを特徴としたものである。
【００１６】
第７の技術手段は、第１乃至第６のいずれか１の技術手段において、前記接続手段は、ＨＤＭＩ規格に準じた接続を行う手段であり、前記所定のコマンドは、ＨＤＭＩ規格に基づくＣＥＣコマンドであることを特徴としたものである。
【００１７】
第８の技術手段は、第１乃至第７のいずれか１の技術手段における表示装置と、録画番組を再生出力可能な１以上の出力装置とを備え、前記表示装置と前記出力装置とが接続手段を介して接続された表示システムであって、前記表示装置は、所定のコマンドを使用して、前記接続手段を介して各前記出力装置から録画番組リスト情報を取得し、該取得した各前記出力装置の録画番組リスト情報を一括してリスト表示することを特徴としたものである。
【００１８】
第９の技術手段は、第８の技術手段において、前記出力装置は、番組録画可能な録画装置であり、前記表示装置は、前記所定のコマンドを使用して、前記接続手段を介して各前記録画装置から録画番組リスト情報を取得し、該取得した各前記録画装置の録画番組リスト情報を一括してリスト表示することを特徴としたものである。
【００１９】
第１０の技術手段は、第８又は第９の技術手段において、前記接続手段は、ＨＤＭＩ規格に準じた接続を行う手段であり、前記所定のコマンドは、ＨＤＭＩ規格に基づくＣＥＣコマンドであることを特徴としたものである。
【発明の効果】
【００２０】
本発明によれば、１台以上のレコーダなどの出力装置と接続された表示装置において、ＨＤＭＩ規格に基づくＣＥＣコマンド等を用いて、各出力装置から録画番組リスト情報を取得し、取得した各出力装置の録画番組リスト情報を一括してリスト表示できるため、ユーザ所望の録画番組を簡単且つ素早く検索することができる。
また、一括リスト表示から、各出力装置に対して実際の操作（録画番組の再生、削除など）を行えるため、ユーザはどの出力装置に何を録画したかなどいちいち覚えておかなくてもよく、複数の出力装置をより簡単に操作することができる。
【発明を実施するための最良の形態】
【００２１】
以下、添付図面を参照しながら、本発明の表示装置及び該装置を備えた表示システムに係る好適な実施の形態について説明する。
【００２２】
本発明の実施形態においては、ＨＤＭＩ規格に含まれるＣＥＣ(Consumer Electronics Control)を使用する。ここでは、１以上の出力装置と表示装置がＨＤＭＩ接続された構成において、ＣＥＣコマンドを用いて、各出力装置から録画番組リスト情報を取得し、取得した各出力装置の録画番組リスト情報を一括してリスト表示することができるようになる。
【００２３】
ＣＥＣは、ＨＤＭＩで規格化されている制御プロトコルであり、そのプロトコルに基づく制御信号であるＣＥＣコマンドを機器間でやりとりすることにより、表示装置に接続される出力装置（レコーダなど）から録画番組リスト情報を取得し、取得した録画番組リスト情報を一括してリスト表示させるようにする。
【００２４】
図１は、本発明が適用可能なＡＶシステムの構成例を説明するためのブロック図で、出装置１０と、リピータ機器２０と、表示装置３０とが接続されている構成を示すものである。出力装置１０とリピータ機器２０とはＨＤＭＩケーブルによって接続され、さらにリピータ機器２０と表示装置３０とがＨＤＭＩケーブルによって接続される。
【００２５】
出力装置１０は、例えばＨＤＭＩ出力端子を持つＤＶＤレコーダやＨＤＤレコーダ、ＤＶＤプレーヤ、Ｄ−ＶＨＳレコーダ、デジタルビデオカメラなどであり、リピータ機器２０は、ＨＤＭＩ入力端子と出力端子とをもつＡＶアンプなどであり、表示装置３０は、ＨＤＭＩ入力端子をもつ液晶テレビやモニタなどである。ＡＶアンプなどのリピータ機器２０が複数のＨＤＭＩ入力端子を持っていれば、複数の出力装置１０を接続することができ、ＡＶアンプのセレクタ機能によって入力ラインを切り替えることができる。
【００２６】
ＨＤＭＩケーブルは、デジタル信号である映像・音声信号を差動方式で伝送するためのＴＭＤＳ（Transition Minimized Differential Signaling）ライン（デジタル信号転送ライン）４１と、機器間で共通の制御信号（ＣＥＣコマンド）を伝送する双方向バスであるＣＥＣライン４２とを含んでいる。またこの他、ＨＤＭＩケーブルには、ＥＤＩＤ（Extended Display Identification Data）の送信やＨＤＣＰ認証等に利用される図示しないＤＤＣラインが含まれる。
【００２７】
ビデオ／音声を含むストリームは、ＴＭＤＳライン４１を用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００２８】
また本発明に関わる表示装置３０の全録画リスト表示を行うために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００２９】
出力装置１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００３０】
ＣＥＣ Ｉ／Ｆ１４は、ＨＤＭＩケーブル内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。例えば、一方の機器（表示装置３０）からスタンバイ状態にある他方の機器（出力装置１０）に対して、電源オンを指示するＣＥＣコマンドを送信することにより電源をオンさせるなどの制御を行うことが可能となる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００３１】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００３２】
リピータ機器２０は、ＨＤＭＩレシーバ２１、ＨＯＳＴ ＣＰＵ２２、フロントマイコン２３、ＨＤＭＩトランスミッタ２４、及びＣＥＣ Ｉ／Ｆ２５を備えている。リピータ機器２０は、出力装置１０から転送されたストリームをＨＤＭＩレシーバ２１で受信し、さらにＨＤＭＩトランスミッタ２４から送出して、表示装置３０に転送する。またＣＥＣ Ｉ／Ｆ２５によって、出力装置１０との間のＣＥＣライン４２と、表示装置３０との間のＣＥＣライン４２とを接続する。
【００３３】
ＨＯＳＴ ＣＰＵ２２とフロントマイコン２３は、上述の出力装置１０と同様の機能を備え、ＨＯＳＴ ＣＰＵ２２は、ＨＤＭＩレシーバ２１とＨＤＭＩトランスミッタ２４とを制御するとともに装置全体を制御する。フロントマイコン２３はＣＥＣコントローラを含み、ＣＥＣライン４２から転送されてくるＣＥＣコマンドを監視する。
【００３４】
またＡＶアンプなどのように、リピータ機器２０に複数のＨＤＭＩ入力端子がある場合、複数のＨＤＭＩ機器を出力装置として接続することができる。この場合、リピータ機器２０のセレクト機能より、表示装置３０に転送するストリームの入力ポートを適宜切り替えることができる。そしてストリームの入力ポートの切替は、表示装置３０に対する操作に応じたＣＥＣコマンドによって実現することができる。
【００３５】
表示装置３０は、ＨＤＭＩレシーバを内蔵したＨＯＳＴ ＣＰＵ３１、モニターマイコン３２、ＣＥＣ Ｉ／Ｆ３３を備えている。表示装置３０は、リピータ機器２０で転送されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。
【００３６】
ＨＯＳＴ ＣＰＵ３１は、ＨＤＭＩレシーバを内蔵し、また装置全体を制御している。またモニターマイコン３２は、ＣＥＣコントローラを含み、ＣＥＣライン４２から転送されてくるＣＥＣコマンドを監視する。モニターマイコン３２は、リモコン装置３５からのリモコン信号を受信する受光部３４を制御している。そして装置のスタンバイモードなどにおいてＨＯＳＴ ＣＰＵ３１がダウンしているときでも、モニターマイコン３２が動作し、ＣＥＣコマンドの送受信とリモコン信号の受信とが可能な状態に維持している。
【００３７】
表示装置３０では、ＨＯＳＴ ＣＰＵ３１に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り替えられる。
【００３８】
図２は、本発明の表示装置３０を備えた表示システムの構成例を示すブロック図である。本例では、表示装置（Ｓｉｎｋ）であるＴＶ３０のＨＤＭＩ入力端子に対して、複数の出力装置（Ｓｏｕｒｃｅ）が接続される。一般に、ＴＶが備えるＨＤＭＩ入力端子は２個であるため、２台以上の出力装置を接続する場合、図示しないリピータ機器であるＡＶアンプを介して接続してもよい。この場合、ＡＶアンプのＨＤＭＩ入力端子には１台以上の出力装置が接続される。出力装置としては、例えばレコーダ１〜３の３台が接続されているものとする。レコーダ１〜３は、ＨＤＭＩ端子に取り付けたＨＤＭＩケーブルによって直接あるいは間接にＴＶ３０に接続されている。
【００３９】
ＴＶ３０は、ユーザからの操作選択を受け付ける操作選択部３０ａと、本発明の接続手段に相当するＣＥＣ Ｉ／Ｆ３３を介してＨＤＭＩ接続を制御するＨＤＭＩ接続制御部３０ｂと、レコーダ１〜３から取得される録画リスト情報を格納するメモリである全録画リスト格納部３０ｃと、液晶ディスプレイなどの表示部３０ｄと、全録画リスト格納部３０ｃに格納された録画リスト情報を一括リスト化してＯＳＤ表示を行うためのＯＳＤ処理部３０ｅと、を備える。
【００４０】
また、レコーダ１は、制御部１０１、録画リスト格納部１０２、及び録画データ格納部１０３、を備える。レコーダ２が備える制御部２０１、録画リスト格納部２０２、及び録画データ格納部２０３、さらに、レコーダ３が備える制御部３０１、録画リスト格納部３０２、及び録画データ格納部３０３もレコーダ１と同様の構成とする。
【００４１】
制御部１０１は、図示しないチューナを制御して、チューナを介して受信した番組データを録画データ格納部１０３に格納していく。そして、制御部１０１は、録画データ格納部１０３に格納された録画番組から録画リストを生成し、生成した録画リストを録画リスト格納部１０２に格納する。録画データ格納部１０３は例えばＨＤＤやＤＶＤなどの大容量記憶媒体であり、録画リスト格納部１０２は例えば不揮発メモリなどである。
【００４２】
図２において、ＴＶ３０は、操作選択部３０ａから全録画リスト表示が選択されると、ＨＤＭＩ接続制御部３０ｂが、ＨＤＭＩケーブル内のＣＥＣライン４２を介してレコーダ１〜３に対して、録画リスト情報を送信させるためのＣＥＣコマンドを送信する。
【００４３】
まず、ＨＤＭＩ接続制御部３０ｂは、ＣＥＣコマンドをレコーダ１へ送信し、これを受けたレコーダ１の制御部１０１は、録画リスト格納部１０２から録画リスト情報を取得し、その録画リスト情報に取得元がレコーダ１であることを示す情報を付加してＨＤＭＩ接続制御部３０ｂへ送信する。ＨＤＭＩ接続制御部３０ｂは、レコーダ１から受信した録画リスト情報を全録画リスト格納部３０ｃに格納する。そして、ＴＶ３０は、ＨＤＭＩ接続先をレコーダ１からレコーダ２へ切り替える。以下同様にして、ＨＤＭＩ接続制御部３０ｂは、接続されているレコーダ２，３からも、録画リスト情報を取得して、全録画リスト格納部３０ｃに格納する。
【００４４】
そして、ＨＤＭＩ接続制御部３０ｂは、レコーダ１〜３の録画リスト情報が全て取得された後、または、取得できたものから順次、全録画リスト格納部３０ｃからＯＳＤ処理部３０ｅへ録画リスト情報を送る。ＯＳＤ処理部３０ｅは、全録画リスト格納部３０ｃからのレコーダ１〜３の録画リスト情報を一括してリスト表示するためのＯＳＤを生成する。
【００４５】
図３は、ＯＳＤ処理部３０ｅによって表示部３０ｄに表示される全録画リスト画面の一例を示す図で、図中、５０は録画リスト画面を示す。録画リスト画面５０は、すべて表示５１、レコーダ別５２、ジャンル別５３、お気に入り５４を含む表示分類と、番組名，収録日，収録時間，収録レコーダ，お気に入りの有無などを含む録画リスト５５と、あらすじなどの番組に関連する情報である番組情報５６と、により構成される。この録画リスト画面５０は、操作選択部３０ａ（メニュー画面）から録画リスト表示が選択されると、ＯＤＳ処理部３０ｅにより生成され、表示部３０ｄに表示される。
【００４６】
上記表示分類を構成する、すべて表示５１がユーザにより選択された場合、本例のように、レコーダ１〜３から取得されるすべての録画番組が録画リスト５５に表示される。また、レコーダ別５２のレコーダ１〜３のいずれかが選択されると、選択されたレコーダから取得される録画番組が録画リスト５５に表示される。また、ジャンル別５３の映画，スポーツ，音楽のいずれかが選択されると、選択されたジャンルに対応する録画番組がレコーダ１〜３から取得され、録画リスト５５に表示される。なお、ジャンル情報は、ＥＰＧ（Electronic Program Guide）などから取得できるため、レコーダ１〜３がＥＰＧを利用して録画予約する際などに、ジャンル情報を取得、保存しておく。
【００４７】
また、お気に入り５４が選択されると、ユーザのお気に入りであることを示す情報である“お気に入りチェック”が設定された録画番組のみが抽出されて録画リスト５５に表示される。この“お気に入りチェック”は、録画リスト画面５０から設定することができる。例えば、録画リスト５５の中から選択された録画番組に“お気に入りチェック”を設定し、ＨＤＭＩ接続制御部３０ｂが、その設定情報を、録画番組の取得元であるレコーダの録画リスト格納部に保存する。
【００４８】
本例においては、ユーザにより、すべて表示５１が選択されているため、レコーダ１〜３から取得されるすべての録画番組が録画リスト５５に表示されている。そして、録画リスト５５の一番上の録画番組にカーソルがあたっており、この録画番組に対応する番組情報５６が表示されている。番組情報５６は、例えば、番組のあらすじや出演者などの番組に関連する情報であって、上記のＥＰＧやＳＩ（Service Information）などを利用して取得することができる。
【００４９】
また、録画リスト５５にある録画番組は、取得元のレコーダと対応付けられており、この録画リスト５５からユーザ所望の録画番組が選択されると、選択された録画番組が対応するレコーダで再生出力される。例えば、録画リスト５５の一番上の録画番組が再生指示された場合、取得元はレコーダ１なので、レコーダ１で当該録画番組が再生され、ＴＶ３０の表示部３０ｄに表示される。
【００５０】
図４は、ＯＳＤ処理部３０ｅによって表示部３０ｄに表示される全録画リスト画面の他の例を示す図である。録画リスト画面５０は、すべて表示５１、レコーダ別５２、ジャンル別５３、お気に入り５４を含む表示分類と、番組名，収録日，収録時間，収録レコーダ，お気に入りの有無などを含む録画リスト５５と、あらすじなどの番組に関連する情報である番組情報５６と、さらに、録画番組のコマ送り再生映像である映像情報５７と、により構成される。
【００５１】
本例においては、ユーザにより、レコーダ別５２のレコーダ１が選択されているため、レコーダ１に収録されている録画番組が録画リスト５５に表示されている。そして、録画リスト５５の一番上の録画番組にカーソルがあたっており、この録画番組に対応する番組情報５６と共に、録画番組のコマ送り再生映像である映像情報５７が表示されている。この映像情報５７は、選択されたレコーダ（ここではレコーダ１）に接続して、レコーダ１の録画リストを取得する際に、ＨＤＭＩケーブル内のＴＭＤＳラインを介して取得することができる。
【００５２】
図５は、本発明の表示システムによる録画リスト表示方法の一例を説明するためのフロー図である。本例は、図２に示したシステム構成に基づいて説明する。まず、ＴＶ３０は、テレビ画面に表示させたメニューから録画リスト表示を選択し（ステップＳ１）、図３に示すような録画リスト画面５０を表示させる。ＴＶ３０は、ユーザ選択により、録画リスト画面５０の表示分類から、レコーダ別５２の任意のレコーダ、あるいはすべて表示５１，ジャンル別５３，お気に入り５４などが選択されたかどうかを判断する（ステップＳ２）。
【００５３】
ＴＶ３０は、上記ステップＳ２において、レコーダ別５２の任意のレコーダ（本例ではレコーダ１〜３のいずれか）が選択された場合（図中、任意のレコーダを選択の場合）、選択したレコーダにネットワーク接続し（ステップＳ３）、接続したレコーダの録画番組リスト（映像含む）を取得して表示する（ステップＳ４）。
【００５４】
次に、ＴＶ３０は、ユーザ選択により、レコーダの録画番組リストの中にある一つの番組が再生選択されると（ステップＳ５）、選択された番組の再生をレコーダへ指示する。そして、ＴＶ３０は、レコーダで再生された番組データを受信して画面上に表示する（ステップＳ６）。
【００５５】
また、ＴＶ３０は、上記ステップＳ２において、すべて表示５１，ジャンル別５３，お気に入り５４のいずれかが選択された場合（図中、全表示，ジャンル別，お気に入り表示等の場合）、レコーダ１にネットワーク接続し、接続したレコーダ１の録画リストデータを取得し、レコーダ１の録画リストデータに取得元がレコーダ１であるという情報を付加して、全録画リストに追加し、全録画リスト格納部３０ｃに保存する（ステップＳ７）。
【００５６】
次に、ＴＶ３０は、接続をレコーダ２に切り替えて、ステップＳ７と同様に、レコーダ２にネットワーク接続し、接続したレコーダ２の録画リストデータを取得し、レコーダ２の録画リストデータに取得元がレコーダ２であるという情報を付加して、全録画リストに追加し、全録画リスト格納部３０ｃに保存する（ステップＳ８）。
【００５７】
さらに、ＴＶ３０は、接続をレコーダ３に切り替えて、ステップＳ７，Ｓ８と同様に、レコーダ３にネットワーク接続し、接続したレコーダ３の録画リストデータを取得し、レコーダ３の録画リストデータに取得元がレコーダ３であるという情報を付加して、全録画リストに追加し、全録画リスト格納部３０ｃに保存する（ステップＳ９）。
【００５８】
次に、ＴＶ３０は、ユーザ選択により、全表示（すなわち、すべて表示５１）が選択されたかどうかを判断し（ステップＳ１０）、全表示が選択されていない場合（ＮＯの場合）、リストデータから意図した分類（ジャンル別５３，お気に入り５４など）のものを抜き出し、リスト表示する（ステップＳ１１）。また、ステップＳ１０において、全表示（すべて表示５１）が選択されている場合（ＹＥＳの場合）、全録画リストを表示する（ステップＳ１２）。
【００５９】
次に、ＴＶ３０は、ユーザ選択により、リストの中にある一つの番組が再生選択されると（ステップＳ１３）、選択された番組が収録されているレコーダがどれであるか録画リストデータを参照して読み取る（ステップＳ１４）。そして、該当レコーダにネットワーク接続し、選択された番組の再生をレコーダへ指示する。そして、ＴＶ３０は、レコーダで再生された番組データを受信して画面上に表示する（ステップＳ１５）。
【００６０】
以上説明したように、本発明によれば、１台以上のレコーダなどの出力装置と接続された表示装置において、ＨＤＭＩ規格に基づくＣＥＣコマンド等を用いて、各出力装置から録画番組リスト情報を取得し、取得した各出力装置の録画番組リスト情報を一括してリスト表示できるため、ユーザ所望の録画番組を簡単且つ素早く検索することができる。
また、一括リスト表示から、各出力装置に対して実際の操作（録画番組の再生、削除など）を行えるため、ユーザはどの出力装置に何を録画したかなどいちいち覚えておかなくてもよく、複数の出力装置をより簡単に操作することができる。
【図面の簡単な説明】
【００６１】
【図１】本発明が適用可能なＡＶシステムの構成例を説明するためのブロック図である。
【図２】本発明の表示装置を備えた表示システムの構成例を示すブロック図である。
【図３】ＯＳＤ処理部によって表示部に表示される全録画リスト画面の一例を示す図である。
【図４】ＯＳＤ処理部によって表示部に表示される全録画リスト画面の他の例を示す図である。
【図５】本発明の表示システムによる録画リスト表示方法の一例を説明するためのフロー図である。
【図６】ＨＤＭＩ接続による従来の録画リスト表示方法を説明するための画面例を示す図である。
【図７】ＨＤＭＩ接続による従来の録画リスト表示方法を説明するための他の画面例を示す図である。
【図８】ＨＤＭＩ接続による従来の録画リスト表示方法を説明するための他の画面例を示す図である。
【符号の説明】
【００６２】
１，２，３…レコーダ、１０…出力装置、１１，２４…ＨＤＭＩトランスミッタ、１２，２２，３１…ＨＯＳＴ ＣＰＵ、１３，２３…フロント マイコン、１４，２５，３３…ＣＥＣ Ｉ／Ｆ、２０…リピータ機器、２１…ＨＤＭＩレシーバ、３０…表示装置、３０ａ…操作選択部、３０ｂ…ＨＤＭＩ接続制御部、３０ｃ…全録画リスト格納部、３０ｄ…表示部、３０ｅ…ＯＳＤ処理部、３２…モニターマイコン、３４…受光部、３５…リモコン装置、４１…ＴＭＤＳライン、４２…ＣＥＣライン、１０１，２０１，３０１…制御部、１０２，２０２，３０２…録画リスト格納部、１０３，２０３，３０３…録画データ格納部、５０…録画リスト画面、５１…すべて表示、５２…レコーダ別、５３…ジャンル別、５４…お気に入り、５５…番組リスト、５６…番組情報、５７…映像情報。
【図１】
2008028947.tif 000003
【図２】
2008028947.tif 000004
【図３】
2008028947.tif 000005
【図４】
2008028947.tif 000006
【図５】
2008028947.tif 000007
【図６】
2008028947.tif 000008
【図７】
2008028947.tif 000009
【図８】
2008028947.tif 000010